【事件の表示】
　平成１０年特許願第１４６９３２号「パンツ型おむつにおける弾性部材取付方法および装置」拒絶査定不服審判事件〔平成１１年１２月　７日出願公開、特開平１１−３３２９１３〕について、次のとおり審決する。
【結　論】
　本件審判の請求は、成り立たない。
【理　由】
１．手続の経緯
　本件審判に係る出願は、平成１０年５月２８日に出願されたもので、明細書又は図面についての平成１７年３月１８日付け手続補正書が提出された後、平成１８年９月５日付け拒絶理由通知書が送付され、上記明細書又は図面についての同年１１月７日付け手続補正書が提出されたものの、平成１９年９月１１日付けで拒絶査定されたものである。
　そして、本件審判は、この拒絶査定を不服として請求されたもので、上記明細書又は図面についての平成１９年１１月１４日付け手続補正書が提出されている。
　
２．原査定 
　原査定の拒絶理由の１つは、以下のとおりのものと認める。
　
　「この出願の請求項に係る発明は、その出願前日本国内又は外国において頒布された刊行物である特開平８−１３２５７６号公報又は特開平９−７０４１２号公報に記載された発明に基いて、その出願前にその発明の属する技術の分野における通常の知識を有する者が容易に発明をすることができたものであるから、特許法第２９条第２項の規定により特許を受けることができない。」
　
　「特開平８−１３２５７６号公報」及び「特開平９−７０４１２号公報」を、以下、「引用刊行物１」及び「引用刊行物２」という。
　
３．当審の判断
　
３−１．平成１９年１１月１４日付け手続補正書による手続補正（以下、「本件補正」という。）について
　本件補正は、以下に詳述するように、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３−１−１．本件補正の内容 
　本件補正は、明細書全文を補正するもので、その特許請求の範囲につき、以下（ｃｌ）とあるのを（ＣＬ）とする補正である。
　
（ｃｌ）；「【請求項１】前身頃と後身頃との両側縁部を接合し、胴開口部および左右一対の脚開口部を有し、かつ、弾性伸縮部材がシート間に介在されてなる外形シートに吸収要素を固定してなるパンツ型おむつの製造過程において、
　製品幅方向に延在し、その延在方向に対して少なくとも一部が曲線を描くように、弾性伸縮部材を外形シートを構成する被取付素材間に介在させるように取り付けるに際して、
　前記外形シートを構成する被取付素材の背側部分、腹側部分に対向するようにそれぞれ前記弾性伸縮部材の位置決めガイドを設けて、
　この位置決めガイドを前記被取付素材が連続的に流れるライン方向と直交する方向に往復移動させる移動手段を、それぞれの位置決めガイドに対して設け、
　各位置決めガイドを、前記直交する方向に直線案内手段に沿って摺動するよう構成し、
　各移動手段をサーボ機構により構成し、
　各サーボモータをそれぞれ正逆回転させて各位置決めガイドを往復移動させ、背側、腹側にそれぞれ製品前後方向の曲線プロフィールに応じた弾性伸縮部材を設ける、
　ことを特徴とするパンツ型おむつにおける弾性部材取付方法。
【請求項２】前記サーボ機構が、対地固定の駆動用サーボモータの出力軸に一体化された溝付きプーリと、支持台に固定された巻き掛け用溝付きプーリと、位置決めガイドに設けられた支持体に非回転的に設けられた溝付き案内体と、これらの溝付きプーリと溝付き案内体と巻き掛け用溝付きプーリとに順次巻き掛けられたタイミングベルトと、を有するものである、請求項１記載のパンツ型おむつにおける弾性部材取付方法。
　【請求項３】前身頃と後身頃との両側縁部を接合し、胴開口部および左右一対の脚開口部を有し、かつ、弾性伸縮部材がシート間に介在されてなる外形シートに吸収要素を固定してなるパンツ型おむつの製造過程において、
　製品幅方向に延在し、その延在方向に対して少なくとも一部が曲線を描くように、弾性伸縮部材を外形シートを構成する被取付素材間に介在させるように取り付ける装置であって、
　外形シートを構成する被取付素材の背側部分、腹側部分に対向するようにそれぞれ前記弾性伸縮部材の位置決めガイドを有し、
　この位置決めガイドを前記被取付素材が連続的に流れるライン方向と直交する方向に往復移動させる移動手段が、それぞれの位置決めガイドに対して設けられ、
　各位置決めガイドが、前記直交する方向に直線案内手段に沿って摺動するよう構成され、
　各移動手段が、対地固定の駆動用サーボモータの出力軸に一体化された溝付きプーリと、支持台に固定された巻き掛け用溝付きプーリと、位置決めガイドに設けられた支持体に非回転的に設けられた溝付き案内体と、これらの溝付きプーリと溝付き案内体と巻き掛け用溝付きプーリとに順次巻き掛けられたタイミングベルトと、を有するサーボ機構により構成され、
　各サーボモータをそれぞれ正逆回転させることで各位置決めガイドが往復移動され、背側、腹側にそれぞれ製品前後方向の曲線プロフィールに応じた弾性伸縮部材が設けられる、ことを特徴とするパンツ型おむつにおける弾性部材取付装置。」
　
（ＣＬ）「【請求項１】前身頃と後身頃との両側縁部を接合し、胴開口部および左右一対の脚開口部を有し、かつ、弾性伸縮部材がシート間に介在されてなる外形シートに吸収要素を固定してなるパンツ型おむつの製造過程において、
　製品幅方向に延在し、その延在方向に対して少なくとも一部が曲線を描くように、弾性伸縮部材を外形シートを構成する被取付素材間に介在させるように取り付けるに際して、
　前記外形シートを構成する被取付素材の背側部分、腹側部分に対向するようにそれぞれ複数の前記弾性伸縮部材の位置決めガイドを設けて、
　これら位置決めガイドを前記被取付素材が連続的に流れるライン方向と直交する方向に往復移動させる移動手段を、それぞれの位置決めガイドに対して設け、
　腹側の各位置決めガイドは、ともに前記直交する方向に配された二本の直線状の案内ロッドに遊嵌されてこれに沿って摺動されるように構成し、
　背側の各位置決めガイドは、ともに前記直交する方向に配された二本の直線状の案内ロッドに遊嵌されてこれに沿って摺動されるように構成し、
　各移動手段をそれぞれサーボ機構により構成し、
　これらのサーボ機構が、対地固定の駆動用サーボモータの出力軸に一体化された溝付きプーリと、支持台に固定された巻き掛け用溝付きプーリと、位置決めガイドに設けられた支持体に非回転的に設けられた溝付き案内体と、これらの溝付きプーリと溝付き案内体と巻き掛け用溝付きプーリとに順次巻き掛けられたタイミングベルトと、を有するものであり、
　各サーボモータをそれぞれ正逆回転させて各位置決めガイドを往復移動させ、背側、腹側にそれぞれ製品前後方向の曲線プロフィールに応じた弾性伸縮部材を設けることを特徴とするパンツ型おむつにおける弾性部材取付方法。
【請求項２】前身頃と後身頃との両側縁部を接合し、胴開口部および左右一対の脚開口部を有し、かつ、弾性伸縮部材がシート間に介在されてなる外形シートに吸収要素を固定してなるパンツ型おむつの製造過程において、
　製品幅方向に延在し、その延在方向に対して少なくとも一部が曲線を描くように、弾性伸縮部材を外形シートを構成する被取付素材間に介在させるように取り付ける装置であって、
　外形シートを構成する被取付素材の背側部分、腹側部分に対向するようにそれぞれ複数の前記弾性伸縮部材の位置決めガイドを有し、
　この位置決めガイドを前記被取付素材が連続的に流れるライン方向と直交する方向に往復移動させる移動手段が、それぞれの位置決めガイドに対して設けられ、
　腹側の各位置決めガイドは、ともに前記直交する方向に配された二本の直線状の案内ロッドに遊嵌されてこれに沿って摺動するように構成し、
　背側の各位置決めガイドは、ともに前記直交する方向に配された二本の直線状の案内ロッドに遊嵌されてこれに沿って摺動するように構成し、
　各移動手段が、対地固定の駆動用サーボモータの出力軸に一体化された溝付きプーリと、支持台に固定された巻き掛け用溝付きプーリと、位置決めガイドに設けられた支持体に非回転的に設けられた溝付き案内体と、これらの溝付きプーリと溝付き案内体と巻き掛け用溝付きプーリとに順次巻き掛けられたタイミングベルトと、を有するサーボ機構により構成され、
　各サーボモータをそれぞれ正逆回転させることで各位置決めガイドが往復移動され、背側、腹側にそれぞれ製品前後方向の曲線プロフィールに応じた弾性伸縮部材が設けられる、ことを特徴とするパンツ型おむつにおける弾性部材取付装置。」
　
　ここ「３−１」では、本件補正前の請求項１を旧【請求項１】といい、本件補正後の請求項１を新【請求項１】といい、他の請求項についても同様とする。
　
３−１−２．本件補正の適否
　
（１）特許請求の範囲についてする補正（以下、「請求項補正」という。）の目的について
　請求項補正は、旧【請求項１】〜旧【請求項３】を新【請求項１】〜新【請求項２】とする補正であって、新【請求項１】は、旧【請求項２】を由来とするものである。
　そして、少なくとも、新【請求項１】とする請求項補正は、旧【請求項２】に実質的に記載されていた「前記外形シートを構成する被取付素材の背側部分、腹側部分に対向するようにそれぞれ前記弾性伸縮部材の位置決めガイドを設けて、」を、「前記外形シートを構成する被取付素材の背側部分、腹側部分に対向するようにそれぞれ複数の前記弾性伸縮部材の位置決めガイドを設けて、」とし、被取付素材の背側部分、腹側部分に対向するようにそれぞれ設けられる位置決めガイドにつき、その数を複数と限定し、更に、同じく、旧【請求項２】に実質的に記載されていた「各位置決めガイドを、前記直交する方向に直線案内手段に沿って摺動するよう構成し、」を、「腹側の各位置決めガイドは、ともに前記直交する方向に配された二本の直線状の案内ロッドに遊嵌されてこれに沿って摺動されるように構成し、背側の各位置決めガイドは、ともに前記直交する方向に配された二本の直線状の案内ロッドに遊嵌されてこれに沿って摺動されるように構成し、」とし、位置決めガイドが直線案内手段に沿って摺動するよう構成することにつき、該直線案内手段が二本の直線状の案内ロッドと技術的に限定すると共に、該位置決めガイドが案内ロッドに遊嵌されてこれに沿って摺動されるように構成するとしたもので、いわゆる、限定的減縮を目的にしているということができる。
　
（２）独立特許要件について
　
１）新【請求項１】に係る発明（以下、「補正発明」という。）は、新【請求項１】に記載された事項により特定されるもので、同項の記載は、先に「３−１−１」で、（ＣＬ）で【請求項１】の記載として認定したとおりのものである。
　
２）引用刊行物１には、以下の記載ａ〜ｄが認められる。
　
ａ；「【請求項１】 弾性部材を接着剤によって連続するウエブ上に固定する方法において、
連続する第１ウエブ及び連続する第２ウエブの互いに接合される面の一方又は双方に接着剤を塗工し、
接着剤の塗工された上記第１ウエブ及び／又は上記第２ウエブを、該接着剤の塗工面を他の部材に接触させずにニップロールに供給すると共に、
少なくともひとつの連続する弾性部材を強制的に延伸させ、
延伸させた弾性部材を、上記ニップロールの手前において上記第１ウエブ及び上記第２ウエブの進行方向と直交する方向に揺動ガイドで往復運動させることにより揺動させながら、上記第１ウエブ及び上記第２ウエブ間に供給し、
上記ニップロールにより上記弾性部材、上記第１ウエブ及び上記第２ウエブを加圧し、上記弾性部材を上記第１ウエブ及び上記第２ウエブ間に接着固定することを特徴とする弾性部材の揺動接着方法。」
ｂ；「【０００１】
【産業上の利用分野】本発明は、幼児用、大人用、失禁者用として用いられる吸収性物品、例えば、使い捨ておむつの製造に好適な弾性部材の揺動接着方法に関するものであり、詳しくは、所望の弾性部材の曲線形状を確実に得ることができ、弾性部材を伸縮可能な状態でシート部材に固定する弾性部材の揺動接着方法に関する。」
ｃ；「【００１８】
４
４
ｄ；「【００３５】図５に、同じく本発明方法を用いて製造された吸収性物品の他の実施例であるパンツ型おむつ１４１を示す。図５においてパンツ型おむつ１４１は、サイドの接合部分を裂いて展開した状態の展開平面図として示されている。本実施例のパンツ型おむつ１４１は、背側部１５０、股下部１５１及び腹側部１５２を有し、二つ折り仮想線１５３においてトップシート１４４が内側となるように２つ折りに畳まれ、シール部１５４Ａと１５５Ａ，１５４Ｂと１５５Ｂとが接合されることによって、パンツ型の形状を呈する。胴回りギャザー１４７，１４８はパンツ型おむつ１４１のズレ落ち防止、フィット性向上の目的で設けられている。
【００３６】パンツ型おむつ１４１は、吸収体１４３、トップシート１４４、バックシート１４５、レッグギャザー１４６Ａ，１４６Ｂ、胴周りギャザー１４７，１４８及びウエストギャザー１４９を有する。股下部１５１におけるトップシート１４４とバックシート１４５は、凹欠部１５７，１５７を形成するように切り取られている。トップシート１４４は、バックシート１４５に対して縦方向に長く形成されており、ウエストギャザー１４９は、長く形成されたトップシート１４４の延出部分を内側に折り返すことにより固定されている。
【００３７】パンツ型おむつ１４１について、請求項１の記載と照らし合わせてみると、トップシート１４４＝第１ウエブ、バックシート１４５＝第２ウエブ、レッグギャザー１４６Ａ＝第１弾性部材、レッグギャザー１４６Ｂ＝第２弾性部材であり、さらに第３弾性部材として胴回りギャザー１４７がトップシート１４４とバックシート１４５との間に揺動接着され、また、トップシート１４４とバックシート１４５が接合される前に吸収体１４３が介装される。第３弾性部材としての胴回りギャザー１４７を図示されたように揺動することは、ズレ落ち防止を図る上で一層効果的である。」及び【図５】
　
　また、引用刊行物２には、以下の記載Ａ〜Ｂが認められる。
　
Ａ；「【０００１】
【発明の属する技術分野】本発明は、紙オムツを連続的に形成する際のギャザ用のゴムを、所定の曲線に合わせながら上下の紙の間に入れていく制御装置に関する。」
Ｂ；「【００１６】図２は、上記曲線ギャザ制御装置の構成を示す図である。
【００１７】・・・（審決注；「・・・」は、記載の省略を示す。）。
【００１８】サーボモータ１１に連結されるアクチュエータ部１２は、駆動軸に連結された駆動プーリ１３、従動プーリ１４、これらのプーリ１３、１４間にかけられたタイミングベルト１５、ゴム５をガイドするためのガイド部１６、１７、およびこのガイド部１６、１７を図の垂直方向に案内するガイドシャフト１８とから構成されている。ガイド部１６、１７の先端部は各々タイミングベルト１５の所定の位置に係止されている。
【００１９】上記の構成で、サーボモータ１１が回転すると、駆動プーリ１３、従動プーリ１４が回転してタイミングベルト１５が移動することにより、ガイド部１６、１７がガイドシャフト１８に沿って図の上下方向に移動する。この時、ガイド部１６が上方向に移動するとガイド部１７は下方向に移動し、ガイド部１６が下方向に移動するとガイド部１７は上方向に移動する。すなわち、１組のガイド部１６、１７はサーボモータ１１の回転に応じて同じ量だけ広がる方向にまたは狭まる方向に移動する。ガイド部１６の先端部には、図３に示すように、ゴム５を通過させるための孔部１６ａが形成されており（ガイド部１７の先端部も同様な構成）、この孔部１６ａにゴム５が貫通させてあるために、ガイド部１６、１７の移動により、ゴム５も同じ量だけ移動する。これにより、曲線ギャザ制御部６の位置でのゴム配置位置を制御することができる。」並びに、【図２】及び【図３】
　
３）引用刊行物１には、記載ａ及びｂによれば、使い捨ておむつが例示される吸収性物品の製造に好適な弾性部材の揺動接着方法に関する発明が記載されている。
　そして、上記吸収性物品の具体例であるパンツ型おむつ１４１の製造についての記載ｄが認められ、該パンツ型おむつ１４１が胴開口部および左右一対の脚開口部を有していることは、引用刊行物１の記載全体からして明らかである。また、記載ｄには、上記パンツ型おむつ１４１を構成する部材として、レッグギャザー１４６Ａ用の第１弾性部材１４６Ａ、レッグギャザー１４６Ｂ用の第２弾性部材１４６Ｂ及び胴回りギャザー１４７用の第３弾性部材１４７が記載され、更に、胴回りギャザー１４８も記載されており、引用刊行物１において、胴回りギャザー１４８も弾性部材により形成されていることは明らかであり、この弾性部材を、以下、「第４弾性部材１４８」というが、該第４弾性部材１４８がトップシート１４４とバックシート１４５との間で、しかも、背側に設けられていることも見て取れる。
　また、記載ｃには、揺動接着方法に関する上記発明の具体例として、２つの単位の弾性部材を、それぞれに案内する揺動ガイド１７、１７が記載され、揺動ガイド１７、１７は、第１及び第２ウエブ１’，２’の進行方向に対してほぼ垂直の方向に配された二本の直線状の円筒シャフト２２に遊嵌されて、これに沿って摺動されるように構成され、第１及び第２ウエブ１’，２’の進行方向に対してほぼ垂直の方向に往復運動するよう構成されていることが見て取れる。そして、この往復移動させる移動手段を、それぞれの揺動ガイド１７、１７に対して設けていることも見て取れる。
　更に、記載ｃに記載の上記第１及び第２ウエブ１’，２’が、上記パンツ型おむつ１４１の製造に係るトップシート１４４，バックシート１４５に対応していることは、記載ｄの【００３７】の記載から明らかで、記載ｃに記載の揺動ガイドに関する技術を、上記パンツ型おむつ１４１の製造における、第１弾性部材１４６Ａ、第２弾性部材１４６Ｂ及び第３弾性部材１４７をトップシート１４４とバックシート１４５との間に揺動接着させる技術に適用できることは、引用刊行物１の記載全体からして明らかである。
　以上の検討を踏まえると、引用刊行物１には、以下の発明（以下、「引用発明」という。）が記載されていると認められる。
　
　「腹側部１５２と背側部１５０とのシール部１５４Ａと１５５Ａ、同じく、シール部１５４Ｂと１５５Ｂを接合し、胴開口部および左右一対の脚開口部を有し、かつ、第１弾性部材１４６Ａ、第２弾性部材１４６Ｂ、第３弾性部材１４７及び第４弾性部材１４８がトップシート１４４とバックシート１４５との間に介在されてなるシート体に吸収体１４３を装着してなるパンツ型おむつ１４１の製造過程において、
　パンツ型おむつ１４１の幅方向に延在し、その延在方向に対して少なくとも一部が曲線を描くように、第１弾性部材１４６Ａ、第２弾性部材１４６Ｂ及び第３弾性部材１４７を上記シート体を構成するトップシート１４４とバックシート１４５の間に介在させるように取り付けるに際して、
　前記シート体を構成するトップシート１４４及びバックシート１４５の背側部分に対向するように第２弾性部材１４６Ｂの揺動ガイド１７を、また、それらの腹側部分に対向するように第１弾性部材１４６Ａ及び第３弾性部材１４７の揺動ガイド１７、１７を設けて、
　これら揺動ガイド１７、１７、１７を前記トップシート１４４及びバックシート１４５が連続的に流れるライン方向と直交する方向に往復移動させる移動手段を、それぞれの揺動ガイド１７、１７、１７に対して設け、
　腹側の各揺動ガイド１７、１７は、ともに前記直交する方向に配された二本の直線状の円筒シャフト２２に遊嵌されてこれに沿って摺動されるように構成し、
　背側の揺動ガイド１７は、前記直交する方向に配された二本の直線状の円筒シャフト２２に遊嵌されてこれに沿って摺動されるように構成し、
　各揺動ガイド１７、１７、１７を往復移動させて背側にパンツ型おむつ１４１前後方向の曲線プロフィールに応じた第２弾性部材１４６Ｂを、腹側に同じく応じた第１弾性部材１４６Ａ及び第３弾性部材１４７を設け、更に、背側に第４弾性部材１４を設ける、パンツ型おむつにおける弾性部材取付方法。」の発明
　
４）次に、補正発明と引用発明とを対比すると、引用発明の「腹側部１５２」、「背側部１５０」、「トップシート１４４とバックシート１４５」及び「揺動ガイド１７」は、補正発明の「前身頃」、「後身頃」、「被取付素材」及び「位置決めガイド」に対応しているということができ、補正発明は、引用発明とは、
　
　「前身頃と後身頃との両側縁部を接合し、胴開口部および左右一対の脚開口部を有し、かつ、弾性伸縮部材がシート間に介在されてなる外形シートに吸収要素を固定してなるパンツ型おむつの製造過程において、
　製品幅方向に延在し、その延在方向に対して少なくとも一部が曲線を描くように、弾性伸縮部材を外形シートを構成する被取付素材間に介在させるように取り付けるに際して、
　前記外形シートを構成する被取付素材の背側部分、腹側部分に対向するようにそれぞれ前記弾性伸縮部材の位置決めガイドを設けて、
　これら位置決めガイドを前記被取付素材が連続的に流れるライン方向と直交する方向に往復移動させる移動手段を、それぞれの位置決めガイドに対して設け、
　腹側の各位置決めガイドは、ともに前記直交する方向に配された二本の直線状の案内ロッドに遊嵌されてこれに沿って摺動されるように構成し、
　背側の位置決めガイドは、前記直交する方向に配された二本の直線状の案内ロッドに遊嵌されてこれに沿って摺動されるように構成し、
　各位置決めガイドを往復移動させ、背側、腹側にそれぞれ製品前後方向の曲線プロフィールに応じた弾性伸縮部材を設ける、パンツ型おむつにおける弾性部材取付方法。」である点で一致し、以下の点において相違していると認められる。
　
相違点ａ；補正発明は、被取付素材の背側部分、腹側部分に対向するようにそれぞれ複数の位置決めガイドを設けているのに対し、引用発明は、被取付素材であるトップシート１４４とバックシート１４５の腹側部分に対向するように、複数の、即ち、２つの揺動ガイド１７、１７を設けているものの、背側部分に対向するようには、１つの揺動ガイド１７を設けている点。
相違点ｂ；補正発明は、各移動手段をそれぞれサーボ機構により構成し、これらのサーボ機構が、対地固定の駆動用サーボモータの出力軸に一体化された溝付きプーリと、支持台に固定された巻き掛け用溝付きプーリと、位置決めガイドに設けられた支持体に非回転的に設けられた溝付き案内体と、これらの溝付きプーリと溝付き案内体と巻き掛け用溝付きプーリとに順次巻き掛けられたタイミングベルトと、を有するものであり、各サーボモータをそれぞれ正逆回転させて各位置決めガイドを往復移動させる点。
　
５）そこで、相違点ａについて検討する。
　引用発明は、腹側に、パンツ型おむつ１４１前後方向の曲線プロフィールに応じた第３弾性部材１４７、即ち、胴回りギャザー１４７用の弾性部材を設けるものである。
　その一方で、引用発明は、背側に第４弾性部材１４８、即ち、胴回りギャザー１４８用の弾性部材をも設けるものであり、該第４弾性部材１４８もパンツ型おむつ１４１前後方向の曲線プロフィールに応じるよう設けることは、製品の所望により設計的になし得ることであって、そのために第３弾性部材１４７の揺動ガイド１７と同様の揺動ガイドを設け、結果として、トップシート１４４とバックシート１４５の背側部分に対向するように複数の位置決めガイド、即ち、第３弾性部材１４７の揺動ガイド１７と第４弾性部材１４８の揺動ガイドを設けることは容易になし得るものといえる。
　以上のことから、相違点ａは、容易に想到し得るものである。
　
６）次に、相違点ｂについて検討する。
　引用刊行物２には、記載Ａによれば、紙オムツの製造に関して、ギャザー用のゴムを所定の曲線に合わせながら上下の紙の間に入れる技術が記載され、該技術に関する記載Ｂには、サーボモータ１１の駆動軸に連結された駆動プーリ１３と、従動プーリ１４と、前記ゴムを案内するガイド部１６、１７と、ガイド部１６、１７を、その長手方向に案内する該ガイドシャフト１８と、駆動プーリ１３と従動プーリ１４の間に巻き掛けられ、更に、ガイド部１６、１７を係止させたタイミングベルト１５、即ち、歯付き伝動ベルトとからなるアクチュエータ部１２が記載され、サーボモータ１１を正逆回転させてガイド部１６、１７を往復移動させることにより、ギャザー用のゴムを紙の間に入れる技術が記載されている。そして、上記サーボモータ１１が対地固定であること、また、上記従動プーリ１４が何らかの台に支持固定されていることは、普通に想定できることであるし、また、プーリ・タイミングベルト技術において、プーリが溝付きプーリであることは、普通のことでもある。
　また、上記アクチュエータ部１２は、２つのガイド部１６、１７を同期して往復移動させることにより、ギャザー用のゴムを案内するものであるが、単に、ガイド部を往復移動させることにより、ギャザー用のゴムを案内するものとして把握できるものである。
　そして、引用発明と引用刊行物２に記載された上記技術は、共に、おむつのギャザー形成技術に係るものであるから、引用発明における、第１弾性部材１４６Ａ、第２弾性部材１４６Ｂ及び第３弾性部材１４７、それぞれの揺動ガイド１７、１７、１７の往復移動、更には、先に「５）」で容易になし得ると述べた第４弾性部材１４８の揺動ガイドの往復移動に、上記アクチュエータ部１２に係る技術を適用することは容易になし得るものであり、その適用に際し、加えて、これら揺動ガイドに、適宜、支持体を設け、該支持体に固定された、タイミングベルトの歯部と係合する溝付き部材、即ち、非回転的に設けられた溝付き案内体を設けることにより、これら揺動ガイドをタイミングベルトに係止することも設計的になし得る程度のものといえる。
　以上のことから、相違点ｂは、容易に想到し得るものである。
　
７）してみると、補正発明は、引用発明と引用刊行物２に記載の発明に基いて、その出願前にその発明の属する技術の分野における通常の知識を有する者が容易に発明をすることができたものであるから、特許法第２９条第２項の規定により特許を受けることができず、特許出願の際独立して特許を受けることができないものである。
　
３−１−３．まとめ 
　補正事項ａを有する本件補正は、平成１８年法律第５５号改正附則第３条第１項によりなお従前の例によるとされる同法による改正前の特許法第１７条の２第５項において準用する同法第１２６条第５項の規定に違反するものである。
　
３−２．原査定の拒絶理由について
　
３−２−１．本件の発明
　本件補正は、先に「３−１」で述べたように却下すべきものであり、本件の請求項２に係る発明（以下、「本件発明」という。）は、本件補正前の、願書に添付した明細書の請求項２に記載の事項により特定されるものであって、同項の記載は、先に「３−１−１」で、（ｃｌ）で【請求項２】の記載として認定したとおりのものであって、これを整理して記載すると、以下のとおりのものである。
　
　「前身頃と後身頃との両側縁部を接合し、胴開口部および左右一対の脚開口部を有し、かつ、弾性伸縮部材がシート間に介在されてなる外形シートに吸収要素を固定してなるパンツ型おむつの製造過程において、
　製品幅方向に延在し、その延在方向に対して少なくとも一部が曲線を描くように、弾性伸縮部材を外形シートを構成する被取付素材間に介在させるように取り付けるに際して、
　前記外形シートを構成する被取付素材の背側部分、腹側部分に対向するようにそれぞれ前記弾性伸縮部材の位置決めガイドを設けて、
　この位置決めガイドを前記被取付素材が連続的に流れるライン方向と直交する方向に往復移動させる移動手段を、それぞれの位置決めガイドに対して設け、
　各位置決めガイドを、前記直交する方向に直線案内手段に沿って摺動するよう構成し、
　各移動手段をサーボ機構により構成し、
　各サーボモータをそれぞれ正逆回転させて各位置決めガイドを往復移動させ、背側、腹側にそれぞれ製品前後方向の曲線プロフィールに応じた弾性伸縮部材を設ける、
　ことを特徴とするパンツ型おむつにおける弾性部材取付方法であって、
　前記サーボ機構が、対地固定の駆動用サーボモータの出力軸に一体化された溝付きプーリと、支持台に固定された巻き掛け用溝付きプーリと、位置決めガイドに設けられた支持体に非回転的に設けられた溝付き案内体と、これらの溝付きプーリと溝付き案内体と巻き掛け用溝付きプーリとに順次巻き掛けられたタイミングベルトと、を有するものである、パンツ型おむつにおける弾性部材取付方法。」
　
３−２−２．本件発明と引用発明との対比判断
　引用刊行物１には、先に「３−１−２」、「（２）」の「３）」で述べたように、引用発明が記載され、本件発明は、引用発明とを対比すると、
　「前身頃と後身頃との両側縁部を接合し、胴開口部および左右一対の脚開口部を有し、かつ、弾性伸縮部材がシート間に介在されてなる外形シートに吸収要素を固定してなるパンツ型おむつの製造過程において、
　製品幅方向に延在し、その延在方向に対して少なくとも一部が曲線を描くように、弾性伸縮部材を外形シートを構成する被取付素材間に介在させるように取り付けるに際して、
　前記外形シートを構成する被取付素材の背側部分、腹側部分に対向するようにそれぞれ前記弾性伸縮部材の位置決めガイドを設けて、
　この位置決めガイドを前記被取付素材が連続的に流れるライン方向と直交する方向に往復移動させる移動手段を、それぞれの位置決めガイドに対して設け、
　各位置決めガイドを、前記直交する方向に直線案内手段に沿って摺動するよう構成し、
　各位置決めガイドを往復移動させ、背側、腹側にそれぞれ製品前後方向の曲線プロフィールに応じた弾性伸縮部材を設ける、パンツ型おむつにおける弾性部材取付方法。」である点で一致し、以下の点において相違していると認められる。
　
相違点Ａ；本件発明は、各移動手段をそれぞれサーボ機構により構成し、これらのサーボ機構が、対地固定の駆動用サーボモータの出力軸に一体化された溝付きプーリと、支持台に固定された巻き掛け用溝付きプーリと、位置決めガイドに設けられた支持体に非回転的に設けられた溝付き案内体と、これらの溝付きプーリと溝付き案内体と巻き掛け用溝付きプーリとに順次巻き掛けられたタイミングベルトと、を有するものであり、各サーボモータをそれぞれ正逆回転させて各位置決めガイドを往復移動させる点。
　
　そこで、相違点Ａについて検討すると、相違点Ａは、相違点ｂが、先に「３−１−２」、「（２）」の「６）」で述べた相違点ｂについての検討と同様の理由により、容易に想到し得るものである。
　してみると、本件発明は、引用発明と引用刊行物２に記載の発明に基いて、その出願前にその発明の属する技術の分野における通常の知識を有する者が容易に発明をすることができたものであるから、特許法第２９条第２項の規定により特許を受けることができないものである。
　
３−２−３．まとめ
　本件発明は、その出願前日本国内又は外国において頒布された刊行物である引用刊行物１又は引用刊行物２に記載された発明に基いて、その出願前にその発明の属する技術の分野における通常の知識を有する者が容易に発明をすることができたものであるから、特許法第２９条第２項の規定により特許を受けることができず、原査定の拒絶理由は、妥当である。
　
４．結び
　原査定は、妥当である。
　したがって、結論のとおり審決する。